(57)【要約】  電子デバイスは、メインロジックボードと、フレキシブルプリント回路と、デュアルバッテリパックを含むサブアセンブリを備えて構成される。バッテリパックは電気コネクタとともに組み立てられて、バッテリパックからの電力が、フレキシブルプリント基板及びメインロジックボードに沿って分配される電源バスを介して流れることを可能にする。各バッテリパック内の保護回路モジュール（ＰＣＭ）は、サブアセンブリ間の各接続の状態（すなわち、コネクタを通して電気的連続性を提供するように適切に組み立てられているか否か）を決定するように構成され、これにより、コネクタの各々において電気的連続性が検証されたときにのみ、電源バスに対するバッテリパックからの電力はオンに切り替えられる。例えばコネクタを通して電気的連続性が確立されることを妨げる組立て中のコネクタの位置ずれに起因して、いずれか接続に欠陥がある場合は、いずれのＰＣＭも電源バスへの電力をオンに繰り替えない。
2019515622.tif 000002
【特許請求の範囲】
【請求項１】
ウェアラブル電子デバイスであって：
第１、第２及び第３コネクタと；
フレキシブルプリント回路と；
前記第１コネクタを用いて前記フレキシブルプリント回路に動作可能に結合される第１バッテリパックと；
前記第２コネクタを用いて前記フレキシブルプリント回路に動作可能に結合される第２バッテリパックと；
前記第３コネクタを用いて前記フレキシブルプリント回路に動作可能に結合されるメインロジックボードと；
前記第１バッテリパックに配置され、前記第１バッテリパックからの電力の出力を選択的に有効又は無効にするよう構成される第１保護回路モジュールと；
前記第２バッテリパックに配置され、前記第２バッテリパックからの電力の出力を選択的に有効又は無効にするよう構成される第２保護回路モジュールと；
前記フレキシブルプリント回路及び前記メインロジックボードに沿って配置され、前記第１、第２及び第３コネクタの各々を通して前記第１及び第２保護回路モジュールを結合する１つ以上の検知信号経路を含む、検知回路と；
を備え、
前記第１バッテリパックは、前記検知回路を介して第１検知信号を提供し、前記第２バッテリパックは、前記検知回路を介して第２検知信号を提供するように構成され、
前記第１保護回路モジュールは、前記検知回路を介して前記第２検知信号を検出すると、前記第１バッテリパックからの電力の出力を有効にし、前記検知回路を介して前記第２検知信号を検出しなかったとき、前記第１バッテリパックからの電力の出力を無効にし、
前記第２保護回路モジュールは、前記検知回路を介して前記第１検知信号を検出すると、前記第２バッテリパックからの電力の出力を有効にし、前記検知回路を介して前記第１検知信号を検出しなかったとき、前記第２バッテリパックからの電力の出力を無効にする、
ウェアラブル電子デバイス。
【請求項２】
前記メインロジックボードは、当該ウェアラブル電子デバイスがユーザによって装着されるときに、該ユーザの顔又は額に近接して配置されるよう構成される、当該ウェアラブル電子デバイスの前面部分に配置される、
請求項１に記載のウェアラブル電子デバイス。
【請求項３】
前記フレキシブルプリント回路の少なくとも一部は、当該ウェアラブル電子デバイスの前記前面部分に配置される、
請求項２に記載のウェアラブル電子デバイス。
【請求項４】
前記第１及び第２バッテリパックは、それぞれ、当該ウェアラブル電子デバイスの左側部分及び右側部分に配置され、前記左側部分は、当該ウェアラブル電子デバイスがユーザによって装着されるときに、該ユーザの頭部の左側に近接するよう配置され、前記右側部分は、当該ウェアラブル電子デバイスが前記ユーザによって装着されるときに、該ユーザの頭部の右側に近接するよう配置される、
請求項１に記載のウェアラブル電子デバイス。
【請求項５】
前記第１コネクタは、前面部分と前記左側部分との間のインタフェースに近接して配置され、前記第２コネクタは、前記前面部分と前記右側部分との間のインタフェースに近接して配置される、
請求項４に記載のウェアラブル電子デバイス。
【請求項６】
前記第１及び第２保護回路モジュールの各々において１つ以上の電界効果トランジスタ（ＦＥＴ）を更に含む、
請求項１に記載のウェアラブル電子デバイス。
【請求項７】
前記１つ以上の検知信号経路は低電力経路である、
請求項１に記載のウェアラブル電子デバイス。
【請求項８】
前記の保護回路モジュールの各々は、コネクタの完全性の状態認識を実装するように構成されるロジックを含む、
請求項１に記載のウェアラブル電子デバイス。
【請求項９】
前記フレキシブルプリント回路及び前記メインロジックボードにわたって分配される主電源バスを更に備え、前記第１及び第２バッテリパックからの電力が、それぞれの第１及び第２保護回路モジュールから前記主電源バスに出力される、
請求項１に記載のウェアラブル電子デバイス。
【請求項１０】
ヘッドマウントディスプレイデバイスに実装される、
請求項１に記載のウェアラブル電子デバイス。
【請求項１１】
電子デバイスで使用するために構成されるアセンブリにおいて；
フレキシブルプリント回路又はプリント回路基板を備える中間回路サブアセンブリと；
第１バッテリパックであって、１つ以上のバッテリセルの第１のセットと、該第１バッテリパックからの電力のオンとオフを切り替えるように構成される第１保護回路モジュールとを含む、第１バッテリパックと；
第２バッテリパックであって、１つ以上のバッテリセルの第２のセットと、該第２バッテリパックからの電力のオンとオフを切り替えるように構成される第２保護回路モジュールとを含む、第２バッテリパックと；
前記中間回路サブアセンブリ内に配置される電源バスと；
前記第１バッテリパックを前記中間回路サブアセンブリに動作可能に結合するよう構成され、前記第１バッテリパックから前記電源バスへの少なくとも１つの電気的接続を提供する第１コネクタと；
前記第２バッテリパックを前記中間回路サブアセンブリに動作可能に結合するよう構成され、前記第２バッテリパックから前記電源バスへの少なくとも１つの電気的接続を提供する第２コネクタと；
を備え、
前記第１及び第２保護回路モジュールは各々、前記電源バスへの電力の出力をオンに切り替える前に満たされるべき条件として、
前記第１コネクタで前記第１バッテリパックと前記中間回路サブアセンブリとの間に電気的連続性が確立されること、及び
前記第２コネクタで前記第２バッテリパックと前記中間回路サブアセンブリとの間に電気的連続性が確立されること、
を検証するように構成される、
アセンブリ。
【請求項１２】
第２フレキシブルプリント回路又は第２プリント回路基板を備えるメインロジック回路サブアセンブリと；
前記中間回路サブアセンブリを前記メインロジック回路サブアセンブリに動作可能に結合するよう構成され、前記中間回路サブアセンブリ上の前記電源バスの一部と前記メインロジック回路サブアセンブリ上に配置された前記のバスの一部との間に少なくとも１つの電気的接続を提供する第３コネクタと；
を更に備え、
前記電源バスへの電力の出力をオンに切り替える前に満たされるべき条件として、前記第３コネクタで前記中間回路サブアセンブリと前記メインロジック回路サブアセンブリとの間に電気的連続性が確立される、
請求項１１に記載のアセンブリ。
【請求項１３】
前記第１及び第２保護回路モジュールの各々における検証は、前記第１、第２及び第３コネクタの各々を含む信号経路を有する検知回路を介して他のバッテリパックから検知信号を受け取ることによって実行され、前記検知信号は、前記のサブアセンブリの各々が、それぞれの前記第１、第２及び第３コネクタで適切に組み立てられている場合に受け取られる、
請求項１２に記載のアセンブリ。
【請求項１４】
前記メインロジック回路サブアセンブリ上に配置されるコントローラを更に備え、該コントローラは、前記検知回路の動作を制御するように構成される、
請求項１３に記載のアセンブリ。
【請求項１５】
前記コントローラは、前記第１、第２及び第３コネクタの各々についてのコネクタ状態の認識を維持するように構成される、
請求項１４に記載のアセンブリ。
【発明の詳細な説明】
【背景技術】
【０００１】
バッテリ駆動デバイスのバッテリパックは、高い電力を提供することができ、典型的には、保護回路モジュール又はボードを使用して保護される。
【発明の概要】
【０００２】
電子デバイスは、メインロジックボード、フレキシブルプリント回路及びデュアルバッテリパックを含む、サブアセンブリを備えて構成される。デュアルバッテリパックは、電子コネクタと一緒に組み立てられて、バッテリパックからの電力が、フレキシブルプリント回路及びメインロジックボードに沿って分配される電源バスを介して流れることを可能にする。各バッテリパック内の保護回路モジュール（ＰＣＭ：protection  circuit  module））は、サブアセンブリ間の接続の各々の状態（すなわち、コネクタを通して電気的連続性を提供するように組み立てられているか否か）を判断するように構成され、これにより、バッテリパックからの電力は、電気的連続性が各コネクタで検証されたときにのみ電源バスに対してオンに切り替えられる。例えばコネクタを介して確立される電気的連続性を妨げる、組立て中のコネクタの位置ずれに起因して、いずれかの接続に欠陥がある場合、いずれのＰＣＭも電源バスに対してパワーオンに切り替えないであろう。コネクタが適切に組み立てられたときにのみパワーオンを有効にすることにより、ＰＣＭは、不適切なアセンブリから電源バスの障害によって引き起こされる可能性のある、バスバッテリパック、フレキシブルプリント回路、メインロジックボード並びに構成デバイス及び回路に対する安全上の危険性及びダメージを軽減することができる。
【０００３】
様々な具体的な例では、各ＰＣＭは、検知回路を介して他のＰＣＭによって受け取られ得る低電力検知信号を生成する。そのような検知回路は、各コネクタ、フレキシブルプリント回路及びメインロジックボードを通ってバッテリパックからバッテリパックへループを形成する。コネクタにおける電気的連続性は、ＰＣＭの各々が、検知回路を介して、他のＰＣＭによって生成された検知信号を検出するときに検証される。ＰＣＭは、次いで、それぞれのパック内のバッテリセルから電源バスに電力を切り替えることができ、これにより、デバイスをパワーオンすることが可能になる。障害の場合、検知回路は、一部の実装において、不適切に組み立てられたコネクタの識別を可能にするように構成され得る。そのような障害位置特定の能力を、例えば工場設定時のデバイスの組立て中又は現場でのデバイスの修理中のトラブルシューティングに利用することができる。
【０００４】
この発明の概要は、以下の発明の詳細な説明において更に説明される概念の選択を、簡単な形式で紹介するために提供される。この概要は、特許請求に係る主題の重要な特徴又は本質的な特徴を特定するようには意図されておらず、特許請求に係る主題の範囲を決定する助けとして使用されることも意図されていない。さらに、特許請求に係る主題は、本開示のいずれかの部分に記載された任意の又はすべての欠点を解決する実装に限定されない。これら及び様々な他の様々な特徴は、以下の発明の詳細な説明を読み、関連する図面をレビューすることから明らかになるであろう。
【図面の簡単な説明】
【０００５】
【図１】ウェアラブル仮想現実又は拡張現実頭部装着型ディスプレイ（ＨＭＤ）デバイスのような小型フォームファクタの電子デバイスの具体的な例の３／４の図を示す。
【図２】ウェアラブル仮想現実又は拡張現実頭部装着型ディスプレイ（ＨＭＤ）デバイスのような小型フォームファクタの電子デバイスの具体的な例の上面図を示す。
【０００６】
【図３】電子デバイスで使用可能なアセンブリのそれぞれの例示的な実施形態の機能ブロック図である。
【図４】電子デバイスで使用可能なアセンブリのそれぞれの例示的な実施形態の機能ブロック図である。
【図５】電子デバイスで使用可能なアセンブリのそれぞれの例示的な実施形態の機能ブロック図である。
【０００７】
【図６】電子デバイスにおいて保護回路モジュールによってパワーオンが有効にされる前に満たされるべき例示的な条件を示す表である。
【０００８】
【図７】電子デバイスで使用可能なアセンブリのそれぞれの例示的な実施形態の機能ブロック図である。
【図８】電子デバイスで使用可能なアセンブリのそれぞれの例示的な実施形態の機能ブロック図である。
【０００９】
【図９】電子デバイスで使用可能なアセンブリの別の例示的な実施形態の機能ブロック図である。
【図１０】電子デバイスで使用可能なアセンブリの別の例示的な実施形態の機能ブロック図である。
【図１１】電子デバイスで使用可能なアセンブリの別の例示的な実施形態の機能ブロック図である。
【００１０】
【図１２】電子デバイスでサブアセンブリを組み立てるための例示的な方法のフローチャートである。
【００１１】
【図１３】図１及び図２に図示される例示的な仮想現実又は拡張現実ＨＭＤデバイスの追加の詳細を示す絵図である。
【００１２】
【図１４】図１、図２及び図１３に図示される仮想現実又は拡張現実ＨＭＤデバイスの具体的な例の機能ブロック図である。
【００１３】
【図１５】拡張現実又は仮想現実ディスプレイシステムを組み込んだ例示的な電子デバイスのブロックである。
【００１４】
同様の参照番号は、図面内の同様の要素を示す。別段の指示がない限り、要素はスケーリングして描かれていない。
【発明を実施するための形態】
【００１５】
図１及び図２は、それぞれ、適切なアセンブリを備えるデバイスのパワーオンの本有効化が使用され得る、ウェアラブル仮想現実又は拡張現実ヘッドマウントディスプレイ（ＨＭＤ）デバイス１００のような小型フォームファクタの電子デバイスの例示的な例の３／４の図及び上面図を図示している。しかしながら、本構成はＨＭＤデバイスに決して限定されない。ＨＭＤデバイス１００の眼鏡のフォームファクタは例示であり、特定の実装の必要性に応じて他のフォームファクタが用いられてもよい。例えばＨＭＤデバイスは、ユーザの頭部を囲むバンドを利用することができ、キャップ／帽子、ヘルメット、ゴーグル、シールド、バイザー等に組み込むことができる。この例では、ＨＭＤデバイス１００は、ユーザの眼の近くに配置される前面部分１０５と、デバイスが装着されるときにユーザの頭部の両側の近くに配置される左側部分１１０及び右側部分１１５を含む。ＨＭＤデバイス１００の各部分１０５、１１０及び１１５は、以下に説明されるように、様々なデバイス、コンポーネント及び回路を収容及び／又はサポートするように構成される。
【００１６】
ＨＭＤデバイス１００は、典型的な実施形態ではバッテリ駆動であるので、他の設備に拘束されることなく動作することができる。しかしながら、例えばリモート電源への有線接続を使用して動作するように構成することもできる。説明上の例では、ＨＭＤデバイス１００は、デバイスがその設計目標内で動作することを可能にするのに十分な電力ストレージを提供するために、デュアルバッテリパックを採用する。デュアルバッテリパック構成の一方のバッテリパックは、ＨＭＤデバイス１００の左側部分１１０に配置され、もう一方のバッテリパックは、右側部分１１５に配置される。ＨＭＤデバイス１００の側面部分のバッテリパックの配置は、一部の実装では、好ましいパッケージングと重量分配を可能にすることができ、ＨＭＤデバイスが特定の人間工学的目標及び他の設計基準を満たすことを可能にすることができる。例えばパックの配置は、ＨＭＤデバイスの良好なバランスと重量分配を維持することを助けることができ、そのような良好なバランスと重量分配は、ＨＭＤがユーザの頭部に装着されることを考慮すると、重要な設計基準であり得る。
【００１７】
図３は、ＨＭＤデバイス１００（図１）の例示的な実施形態で利用され得るサブアセンブリのアセンブリ３００の機能ブロック図である。メインロジック回路サブアセンブリ３０５と、中間回路サブアセンブリ３１０と、第１バッテリパック３１５と、第２バッテリパック３２０を含む、４つのサブアセンブリが提供される。メインロジック回路サブアセンブリ３０５及び中間回路サブアセンブリ３１０は、プリント回路基板、フレキシブルプリント回路、リジッドフレックスプリント回路又はそれらの組合せを含むことができ、それぞれ参照番号３２５及び３３０で示されるような様々なコンポーネント及び回路をサポートすることができる。各バッテリパックは、それぞれ参照番号３３５及び３４０で示される保護回路モジュール（ＰＣＭ）１及びＰＣＭ２と、それぞれ参照番号３４５及び３５０によって代表的に示されるように、この例では各電池パック内で並列に配置される１つ以上の再充電可能なバッテリセルを含む。バッテリパックは外部充電器３５５とインタフェースすることができる。外部充電器３５５は、一部の状況では、バッテリセルに充電電流を提供するように構成される。
【００１８】
バッテリセル３４５及び３５０は、典型的に、様々なアーキテクチャを利用することができるリチウムイオン（Ｌｉ−Ｉｏｎ）及び／又はリチウムポリマー（Ｌｉ−Ｐｏ）を含み得る。バッテリセルは高いエネルギー密度をサポートするので、ＰＣＭを利用して、ＨＭＤデバイス内のバッテリ及び他のコンポーネントや回路に対するダメージを防止し、過電流状態によって及び／又は安全／設計限度を超える充電と放電によって生じる可能性がある電気過剰ストレスに対する緩和を提供する。各ＰＣＭ３３５及び３４０は、そのそれぞれのバッテリパック内のバッテリセル電圧並びに電流の流れをモニタすることができる。各ＰＣＭは、例えば電界効果トランジスタ（ＦＥＴｓ（field-effect  transistors））又は金属酸化膜半導体電界効果トランジスタ（ＭＯＳＦＥＴｓ（metal-oxide-semiconductor  field-effect  transistors））として実装され得る、１つ以上のスイッチ３６０及び３６５のオン／オフ状態を制御する集積回路（ＩＣ）を組み込むことができる。ＰＣＭ３３５及び３４０は、以下でより詳細に説明されるように、ＦＥＴスイッチ３６０及び３６５の外部オン／オフ制御を可能にするよう構成されるゲート３７０及び３７５を更に含む。
【００１９】
サブアセンブリ３０５、３１０、３１５及び３２０は、コネクタ３８０、３８５及び３９０を用いてアセンブリ３００へ組み立てられる。より具体的には、第１バッテリパックサブアセンブリ３１５は、コネクタ３８０を用いて中間回路サブアセンブリ３１０に動作可能に結合され；第２バッテリパックサブアセンブリ３２０は、コネクタ３８５を用いて中間回路サブアセンブリ３１０に動作可能に結合され；中間回路サブアセンブリ３１０は、コネクタ３９０を用いてメインロジック回路サブアセンブリ３０５に動作可能に結合される。コネクタは各々、同じタイプとすることも異なるタイプとすることもでき、典型的には、それぞれ係合機能（mating  features）を有するように構成される複数のパーツを備えてよい。各コネクタは、参照番号３９５によって示されるように１つ以上の導体をサポートすることができ、動作可能に結合されたサブアセンブリの間のコネクタを通して電気的連続性を有する信号経路を確立することを可能にする。
【００２０】
図４は、ＨＭＤデバイス１００（図１）のような電子デバイスの別の例示的な実施形態で利用され得る、コンポーネントのアセンブリ４００の機能ブロック図である。この例では、メインロジックボード４０５は、コネクタ４９０を用いてフレキシブルプリント回路４１０に動作可能に結合されている。フレキシブルプリント回路４１０は、コネクタ４８０を用いて第１バッテリパック４１５に動作可能に結合され、コネクタ４８５を用いて第２バッテリパック４２０に動作可能に結合される。
【００２１】
（以下でより詳細に説明されるように）ゲート４７０及び４７５で受け取られる信号に応答して、ＰＣＭ１（参照番号４３５によって示される）及びＰＣＭ２（４４０）は各々、それぞれのバッテリセル４４５及び４４６から主電源バス４０２への電力をスイッチオンするように構成される。主電源バス４０２は、フレキシブルプリント回路４１０及びメインロジックボード４０５に沿って配置され、３つのコネクタ４８０、４８５及び４９０を通って、ＦＥＴスイッチ４６０及び４６５からメインロジックボード上のコンポーネント及び回路４２５に至る。
【００２２】
主電源バスは、一部の実装では代替的な構成をとることができる。例えば図５のコンポーネントのアセンブリ５００の機能ブロック図に示されるように、主電源バス５０２は、ＨＭＤデバイス１００全体に分配され得る様々なコンポーネント及び回路に電力を供給するように構成され得る。ここで、主電源バス５０２は、フレキシブルプリント回路４１０上に配置されるコンポーネント及び回路５０４、並びにメインロジックボード４０５上に配置されるコンポーネント及び回路４２５に電力を供給することができる。一部の実装では、主電源バス５０２を、フレキシブルプリント回路５０８のような他のサブアセンブリ内の追加のコンポーネント及び回路５０６まで拡張することができる。フレキシブルプリント回路５０８は、コネクタ５１０を用いてメインロジックボード４０５に動作可能に結合される。例えばフレキシブルプリント回路５０８は、主電源バス５０２を通して電力供給され得る画像センサや他のセンサのような周辺デバイス５１２をサポートすることができる。
【００２３】
ＨＭＤデバイス１００は、図３、図４及び図５に示されるアセンブリで使用される３つのコネクタの各々の状態をＰＣＭが認識するように構成され得る。すなわち、各ＰＣＭは、バッテリパック、フレキシブルプリント回路及びメインロジックボードが、３つのコネクタの各々で適切に組み立てられているかどうかを検出するように構成される。ＰＣＭは、特定の状態条件が満たされるときにＨＭＤデバイス１００に対するパワーオンを有効にするように構成される。図６の表６００に示されるように、例示的な実施形態では、ＰＣＭ１は、パワーオンするために（参照番号６０５、６１０、６１５及び６２０によって識別される）４つの条件が満たされることを確認する。４つの条件は、１）ＰＣＭ１とフレキシブルプリント回路（図面ではＦＰＣとして省略される）との間の接続が良好であることが確認され、これにより、１つ以上の信号経路上の電気的連続性が確立されること；２）メインロジックボード（図面ではＭＬＢとして省略される）とフレキシブルプリント回路との間の接続が良好であることが確認され、これにより、フレキシブルプリント回路を通ってＰＣＭ１とメインロジックボードとの間に１つ以上の信号経路上の電気的連続性が確立されること；３）ＰＣＭ２とフレキシブルプリント回路との間の接続が良好であることが確認され、これにより、１つ以上の信号経路上の電気的連続性が確立されること；４）メインロジックボードとフレキシブルプリント回路との間の接続が良好であることが確認され、これにより、フレキシブルプリント回路を通ってＰＣＭ２とメインロジックボードとの間に１つ以上の信号経路上の電気的連続性が確立されること、を含む。
【００２４】
同様に、ＰＣＭ２は、パワーオンするために（参照番号６２５、６３０、６３５及び６４０によって識別される）４つの条件が満たされることを確認する。４つの条件は、１）ＰＣＭ２とフレキシブルプリント回路との間の接続が良好であることが確認され、これにより、１つ以上の信号経路上の電気的連続性が確立されること；２）メインロジックボードとフレキシブルプリント回路との間の接続が良好であることが確認され、これにより、フレキシブルプリント回路を通ってＰＣＭ２とメインロジックボードとの間に１つ以上の信号経路上の電気的連続性が確立されること；３）ＰＣＭ１とフレキシブルプリント回路との間の接続が良好であることが確認され、これにより、１つ以上の信号経路上の電気的連続性が確立されること；４）メインロジックボードとフレキシブルプリント回路との間の接続が良好であることが確認され、これにより、フレキシブルプリント回路を通ってＰＣＭ１とメインロジックボードとの間に１つ以上の信号経路上の電気的連続性が確立されること、を含む。
【００２５】
図６の表６００が示すように、双方のＰＣＭが、アセンブリ内で使用される各コネクタでコネクタの完全性を確認しない限り、いずれのＰＣＭも主電源バスへの電力をスイッチオンしないことになる。したがって、例えばＰＣＭ１は、ＰＣＭ２がフレキシブルプリント回路とコネクタで適切に組み立てられおり、かつフレキシブルプリント回路がメインロジックボードとコネクタで適切に組み立てられていることを確認できない場合、パワーオンを試みないことになる。ＰＣＭ１は、この状況では、ＰＣＭ１がそれ自体の上でフレキシブルプリント回路を通ってメインロジックボードへの良好な経路を有するようなコネクタ状態の場合であってもパワーオンを試みないことになる。
【００２６】
図７は、コネクタ状態を決定するために第１バッテリパック４１５内のＰＣＭ１によって利用され得る低電力検知回路７０２内の例示的な経路７０５を図示している。図８は、コネクタ状態を決定するために第２バッテリパック４２０内のＰＣＭ２によって利用され得る低電力検知回路内の例示的な経路８０５を図示している。各経路７０５及び８０５は、１つ以上の導体３９５（図３）を利用してよく、一部の実装では、経路が重複して導体を共有してもよい。また、各経路は、一部の実装では、主電源バス内の導体を利用するように構成されてもよい。各経路７０５及び８０５は、各コネクタ４８０、４８５及び４９０を少なくとも１回横断する。図７を参照すると、経路７０５は、ＰＣＭ２に設けられる低電力源Ｖｂ（参照番号７１０で示される）から、コネクタ４８５、フレキシブルプリント回路４１０を通ってメインロジックボード４０５に至る。経路７０５は、メインロジックボード４０５を出て、フレキシブルプリント回路４１０及びコネクタ４８０を通ってＰＣＭ１のゲート４７０まで伸びる。
【００２７】
低電力源Ｖｂは、典型的に、検知回路がそれ自体危険を呈さず、あるいはコネクタが誤接続される場合に短絡や他の故障を引き起こさないように、限られた電流を供給するように構成される。Ｖｂは、経路７０５を介してＰＣＭ２からタップされているように示されるが、Ｖｂは、参照番号７１５によって示されるように、第２バッテリパック内の他のコンポーネントによる提供のために構成されてもよい。例えばＶｂは、外部充電器３５５（図３）と相互運用性のあるコンポーネントによって供給されてもよい。場合によっては、電力コントローラ７２０が、任意選択でメインロジックボード４０５に配置され、ゲート４７０への信号を制御するために利用されてもよい。コントローラ７２０はまた、ＰＣＭによって維持されるコネクタ状態認識を補足又は置換するためにコネクタ状態の認識を維持するようにも構成されてよい。
【００２８】
図８を参照すると、経路８０５は、ＰＣＭ１に設けられた低電力源Ｖｂ（符号８１０で示される）から、コネクタ４８０、フレキシブルプリント回路４１０を通ってメインロジックボード４０５に至る。Ｖｂは経路８０５を介してＰＣＭ１からタップされているように示されるが、Ｖｂは、参照番号８１５によって示されるように、第１バッテリパック内の他のコンポーネントによる提供のために構成されてもよい。場合によっては、電力コントローラ７２０が、ゲート４７５への信号を制御するために任意選択で利用されてもよい。経路８０５は、メインロジックボード４０５を出て、フレキシブルプリント回路４１０及びコネクタ４８５を通ってＰＣＭ２のゲート４７５まで伸びる。それぞれ第１及び第２バッテリパック内のゲート４７０及び４７５が低電力検知回路上でＶｂ信号を検知すると、検知回路経路がコネクタの各々を横切るときに図６の表６００に示す条件が満たされる。したがって、各ＰＣＭ内のＦＥＴスイッチは、パワーオンのために主電源バスに電力を流すことを可能にすることができる。検知回路内の連続性を妨害するいずれかのコネクタ内の誤接続は、Ｖｂ信号がＰＣＭ内のゲートをトリガすることを阻む。
【００２９】
図９、図１０及び図１１は、ＨＭＤデバイス１００（図１）のような電子デバイスで利用され得るコンポーネントのアセンブリ９００の代替的な例示の実施形態を図示している。この実施形態では、第１及び第２のバッテリパック９１５及び９２０は、それぞれのＰＣＭ９３５及び９４０と、１つ以上のバッテリセル９４５及び９５０を含む。ＰＣＭ９３５及び９４０は、それぞれのコネクタ９８０及び９８５を通して、様々なコンポーネント及び回路９２５を含むメインロジック回路サブアセンブリ９０５に動作可能に結合される。メインロジック回路サブアセンブリ９０５は、プリント回路基板、フレキシブルプリント回路、リジッドフレックスプリント回路又はそれらの組合せを含んでよい。ＰＣＭ９３５及び９４０は、オン／オフ状態がゲート９７０及び９７５によって制御され得る、ＦＥＴのようなそれぞれのスイッチ９６０及び９６５を含む。
【００３０】
図１０に図示されるように、ゲート９７０及び９７５で受け取られた信号に応答して、ＰＣＭ９３５及び９４０は各々、それぞれのバッテリセル９４５及び９５０から主電源バス１００２への電力をスイッチオンするように構成される。主電源バス１００２は、メインロジック回路アセンブリ内に配置され、コネクタ９８０及び９８５を通ってＦＥＴスイッチ９６０及び９６５からコンポーネント及び回路９２５に至る。場合によっては、電力コントローラ（図示せず）が、メインロジック回路サブアセンブリ９０５内に任意選択で配置されて、ゲート９７０及び９７５への信号を制御するために利用されてもよい。
【００３１】
図７及び図８に図示され、付随する文書で説明される例示的な３つのコネクタの実施形態と同様に、双方のＰＣＭが、アセンブリ９００内で使用される各コネクタ９８０及び９８５でコネクタの完全性を確認しない限り、ＰＣＭ９３５及び９４０のいずれも、主電源バス１００２への電力をスイッチオンすることはない。図１１は、コネクタ状態を決定するためにＰＣＭによって使用され得る低電力検知回路１１０２における例示的の経路９６２及び９６４を図示している。経路９６２及び９６４の各々は、１つ以上の導体を利用してもよく、一部の実装では、経路が重複して導体を共有してもよい。また、各経路は、一部の実装では、主電源バス内の導体を利用するように構成されてもよい。各経路は、各コネクタ９８０及び９８５を少なくとも１回横断する。
【００３２】
図示されるように、経路９６２は、ＰＣＭ２に設けられる低電力源Ｖｂ９１０から、コネクタ９８５、メインロジック回路サブアセンブリ９０５及びコネクタ９８０を通って、ＰＣＭ１内のゲート９７０に至る。Ｖｂは経路９６２上でＰＣＭ２からタップされているように図示されるが、Ｖｂは、参照番号１１１５によって示されるように、第２バッテリパック内の他のコンポーネントによる提供のために構成されてもよい。経路９６４は、ＰＣＭ１に設けられる低電力源Ｖｂ９１２から、コネクタ９８０、メインロジック回路サブアセンブリ９０５及びコネクタ９８５を通って、ＰＣＭ２内のゲート９７５に至る。Ｖｂは経路９６４上でＰＣＭ１からタップされているように図示されるが、Ｖｂは、参照番号１１１４によって示されるように、第１バッテリパック内の他のコンポーネントによる提供のために構成されてもよい。
【００３３】
それぞれの第１及び第２バッテリパック内のゲート９７０及び９７５が、低電力検知回路上でＶｂ信号を検知すると、検知回路経路がコネクタの各々を横切るときに、コネクタ９８０及び９８５におけるコネクタの完全性が確認される。したがって、各ＰＣＭ内のＦＥＴスイッチは、パワーオンのために主電源バス１００２（図１０）に電力が流れることを可能にすることができる。検知回路の連続性を妨害する任意のコネクタ内での誤接続は、Ｖｂ信号がＰＣＭのゲートをトリガすることを阻む。
【００３４】
図１２は、ＨＭＤデバイス１００（図１）のような電子デバイスで使用され得るサブアセンブリを組み立てるための例示的な方法１２００のフローチャートである。方法１２００は、例えば人間のオペレータやマシンによって、あるいはデバイスが工場設定で組み立てられるときは工場環境内でオペレータとマシンの組合せによって実行されてよい。あるいは、方法１２００は、典型的には人間のオペレータによってデバイスが修理又は維持されるときに、現場で利用されてもよい。特段の記載がない限り、フローチャート１２００に示され、付随する文書で説明される方法又はステップは、特定の順序又はシーケンスに制限されない。加えて、これらの方法又はステップの一部が同時に起こるか又は同時に実行される可能性があり、所与の実装では、そのような実装の要件に応じて必ずしもすべての方法及びステップが実行されてなくてもよく、何らかの方法又はステップが任意選択で利用されてもよい。
【００３５】
ステップ１２０５において、第１バッテリパックが、第１コネクタを使用して中間回路サブアセンブリ（例えば図４のフレキシブルプリント回路４１０）に動作可能に結合される。ステップ１２１０において、第２バッテリパックが、第２コネクタを使用して中間回路サブアセンブリに動作可能に結合される。ステップ１２１５において、中間回路サブアセンブリが、第３コネクタを使用してメインロジック回路サブアセンブリ（例えば図４のメインロジックボード４０５）に動作可能に結合される。
【００３６】
ステップ１２２０において、サブアセンブリとバッテリパックが接続された後、メインロジック回路アセンブリへのパワーオンを試みることができる。メインロジック回路アセンブリ、中間回路サブアセンブリ又は１つ以上のバッテリパックは、ディスプレイ、インジケータ、コードジェネレータ又はパワーオンの成功を示す他の適切なデバイスのようなオンボードコンポーネントを含むことができる。あるいは、サブアセンブリのうちの１つ以上は、パワーオン状態を示すように構成され得る外部診断及び／又はモニタリング装置と通信する、ポート又は他の適切なインタフェースを備えて構成されてよい。様々なテストを実施して適切なアセンブリ及びコネクタの完全性を検証することができる。ステップ１２２５において、パワーオンが不成功の場合、次いで３つのコネクタのうちの１つ以上を切断してから再接続し、ステップ１２３０において、パワーオンを再試行することができる。
【００３７】
上述したように、適切なアセンブリを備えるデバイスのパワーオンの本有効化を、仮想又は複合現実ディスプレイデバイスで利用される１つ以上のシステムに組み込むことができる。そのようなデバイスは、これに限定されないが、ＨＭＤデバイスのようなニア・アイ・デバイスを含め、任意の適切な形態をとることができる。一部の実装ではシースルーディスプレイが使用されてもよいが、他の実装では、カメラベースのパススルー又は外向きセンサを使用する不透明（すなわち、非シースルー）のディスプレイが使用されてもよい。
【００３８】
図１３は、図１及び図２に図示される例示の仮想現実又は拡張現実ＨＭＤデバイス１００の追加の詳細を示す絵図であり、図１４は、デバイス１００の機能ブロック図を示す。ＨＭＤデバイス１００は、レンズ１３０２を使用して（例えばレンズ１３０２上への投影やレンズ１３０２に組み込まれた１つ以上の導波システムを使用して、かつ／又は任意の他の適切な方法で）画像を表示することができるように、シースルーディスプレイサブシステム１３０４の一部を形成する１つ以上のレンズ１３０２を備える。ＨＭＤデバイス１００は、ユーザが見ている背景シーン及び／又は物理的環境の画像を取得するように構成される１つ以上の外向き画像センサ１３０６を更に備え、ユーザからの音声コマンドのようなサウンドを検出するように構成される１つ以上のマイクロフォン１３０８を含んでもよい。外向き画像センサ１３０６は、１つ以上の深度センサ及び／又は１つ以上の２次元画像センサを含んでもよい。代替的な構成では、上記したように、シースルーディスプレイサブシステムを組み込む代わりに、拡張現実又は仮想現実ＨＭＤデバイスは、外向き画像センサのためのビューファインダモードを介して拡張現実又は仮想現実画像を表示してもよい。
【００３９】
ＨＭＤデバイス１００は、上述したように、ユーザの各眼の注視の方向又は焦点の方向若しくは位置を検出するために構成される注視検出サブシステム１３１０を更に含んでもよい。注視検出サブシステム１３１０は、任意の適切な方法でユーザの各眼の注視方向を決定するように構成され得る。例えば図示される説明上の例では、注視検出サブシステム１３１０は、ユーザの各眼球から光の輝き（glint）の反射を引き起こすように構成される、赤外線光源のような１つ以上の閃光源（glint  source）１３１２と、ユーザの各眼球の画像をキャプチャするように構成される、内向きセンサのような１つ以上の画像センサ１３１４を含む。画像センサ１３１４を使用して収集された画像データから決定されるような、ユーザの眼球からの輝きの変化及び／又はユーザの瞳孔の位置の変化を使用して、注視の方向を決定することができる。
【００４０】
加えて、ユーザの眼から投影される注視線が外部ディスプレイと交差する位置を使用して、ユーザが注視している物体（例えば表示された仮想物体及び／又は実背景物体）を決定してもよい。注視検出サブシステム１３１０は、任意の適切な数及び配置の光源及び画像センサを有してよい。一部の実装では、注視検出サブシステム１３１０は省略されることもある。
【００４１】
ＨＭＤデバイス１００は、追加のセンサも含んでよい。例えばＨＭＤデバイス１００は、ＨＭＤデバイス１００の位置を決定することを可能にする全地球測位システム（ＧＰＳ）サブシステム１３１６を備えてもよい。これは、ユーザの隣接する物理的環境内に位置する可能性がある建物等のような実世界の物体を識別することを助けることができる。
【００４２】
ＨＭＤデバイス１００は、ユーザが拡張現実又は仮想現実ＨＭＤデバイスの一部としてシステムを装着しているときにユーザの頭部の動き及び位置／向き／姿勢を検出する、１つ以上のモーションセンサ１３１８（例えば慣性、多軸ジャイロスコープ又は加速度センサ）を更に含むことができる。モーションデータは、潜在的にアイトラッキング輝きデータ（eye-tracking  glint  data）及び外向き画像データとともに、注視検出のために、並びに外向き画像センサ１３０６からの画像のぼけを補正することを助ける画像安定化のために使用することができる。モーションデータの使用は、外向き画像センサ１３０６からの画像データを解決することができない場合であっても、注視位置の変化を追跡することを可能にすることができる。
【００４３】
加えて、ユーザが眼、頸部及び／又は頭部のジェスチャを介して、また一部の場合には口頭コマンドを介してＨＭＤデバイス１００と対話することができるように、マイクロフォン１３０８及び注視検出サブシステム１３１０はもちろん、動きセンサ１３１８もユーザ入力デバイスとして使用されてもよい。特定の実装の必要性に合致するよう任意の他の適切なセンサ及び／又はセンサの組合せを利用することができるので、図１３及び図１４に図示され、付随する文書で説明されるセンサは、例示の目的のために含まれるものであり、いずれの方法でも限定するように意図されていないことが理解されよう。例えば一部の実装では、（例えば心臓及び呼吸数、血圧、脳活動、体温等を検出するための）バイオメトリックセンサ又は（例えば温度、湿度、高さ、ＵＶ（紫外線）光レベル等を検出するための）環境センサが利用されてよい。
【００４４】
ＨＭＤデバイス１００は、通信サブシステム１３２６を通してセンサ、注視検出サブシステム１３１０、ディスプレイサブシステム１３０４及び／又は他のコンポーネントと通信する、論理サブシステム１３２２及びデータストレージサブシステム１３２４を有するコントローラ１３２０を更に含むことができる。通信サブシステム１３２６は、ＨＭＤデバイスが、プロセッシング、ストレージ、電力、データ及びサービスといった、リモートに配置されたリソースと連携して動作することを容易にすることもできる。すなわち、一部の実装では、ＨＭＤデバイスを、異なるコンポーネント及びサブシステム間でリソース及び能力を分配することができるシステムの一部として動作させることができる。
【００４５】
ストレージサブシステム１３２４は、他のタスクの中でも特に、例えばセンサからの入力を受け取って解釈し、ユーザの位置及び動きを識別し、表面再構成及び他の技術を使用して実際の物体を識別し、その物体がユーザによって見られることを可能にするよう物体までの距離に基づいてディスプレイを暗く／フェードさせるために、論理サブシステム１３２２によって実行可能な命令を含んでよい。
【００４６】
ＨＭＤデバイス１００は、オーディオを拡張現実又は仮想現実体験の一部として利用することができるように、１つ以上のオーディオトランスデューサ１３２８（例えばスピーカ、イヤホン等）を備えて構成される。電力管理サブシステム１３３０は、ＨＭＤデバイス１００内のコンポーネントに電力を供給するために、１つ以上のバッテリ１３３２及び／又は保護回路モジュール（ＰＣＭ）と、関連する充電器インタフェース１３３４及び／又はリモート電力インタフェースを含むことができる。
【００４７】
ＨＭＤデバイス１００は例示の目的のために説明されており、限定するように意図されていないことが理解されよう。ディスプレイデバイスは、本構成の範囲から逸脱することなく、図示されたものと比べて追加の及び／又は代替のセンサ、カメラ、マイクロフォン、入力デバイス、出力デバイス等を含んでもよいことが更に理解されよう。加えて、ディスプレイデバイスとその様々なセンサ及びサブコンポーネントの物理的構成は、本構成の範囲から逸脱することなく、様々な異なる形態をとることができる。
【００４８】
図１５に図示されるように、適切なアセンブリを備えるデバイスのパワーオンの本有効化を用いる拡張現実又は仮想現実ディスプレイシステムを、携帯電話、スマートフォン、パーソナルデジタルアシスタント（PDA）、コミュニケータ、ポータブルインターネット機器、ハンドヘルドコンピュータ、デジタルビデオ又はスチルカメラ、ウェアラブルコンピュータ、コンピュータゲームデバイス、視聴用の特別なブリングトゥーアイ（bring-to-the-eye）製品又は他のポータブル電子デバイスのような、モバイル又はポータブル電子デバイス１５００で使用することができる。図示されるように、ポータブルデバイス１５００は、外部デバイスやリモートシステム又はサービス（図示せず）から情報を受け取り、これらに情報を送信するための通信モジュール１５１０を収容するハウジング１５０５を含む。
【００４９】
ポータブルデバイス１５００はまた、受信及び送信された情報を処理するための画像処理モジュール１５１５と、画像を見ることをサポートする仮想ディスプレイシステム１５２０も含んでよい。仮想ディスプレイシステム１５２０は、マイクロディスプレイ又はイメージャ１５２５と、光学エンジン１５３０を含むことができる。画像処理モジュール１５１５は、光学エンジン１５３０に動作可能に接続されて、その上に画像を表示するイメージャ１５２５にビデオデータ等の画像データを提供することができる。射出ひとみエキスパンダ（ＥＰＥ（exit  pupil  expander））１５３５を、光学エンジン１５３０に光学的にリンクすることができる。ＥＰＥは、拡張現実又は仮想現実画像をサポートするディスプレイシステムを組み込んでもよく、あるいはその一部であってもよい。
【００５０】
適切なアセンブリを備えるデバイスのパワーオンの本有効化は、ゲームデバイス、マルチメディアコンソール、パーソナルコンピュータ、自動販売機、スマート装置、インターネット接続デバイス、そしてオーブンや電子レンジ、他の装置のような家庭用電化製品及び他の非ポータブルデバイスといった、非ポータブルデバイスで利用される拡張現実又は仮想現実ディスプレイシステムで利用されることも可能である。
【００５１】
適切なアセンブリを備えるデバイスのパワーオンの本有効化は、ゲームデバイス、マルチメディアコンソール、パーソナルコンピュータ、自動販売機、スマート装置、インターネット接続デバイス、そしてオーブンや電子レンジ、他の装置のような家庭用電化製品及び他の非ポータブルデバイスといった、非ポータブルデバイスで利用される拡張現実又は仮想現実ディスプレイシステムで利用されることも可能である。
【００５２】
適切なアセンブリを備える本デバイスのパワーオンの様々な例示の実施形態は、ここでは、すべての実施形態の網羅的なリストとしてではなく、説明として提示されている。実施例にはウェアラブル電子デバイスが含まれる。当該ウェアラブル電子デバイスは、第１、第２及び第３コネクタと；フレキシブルプリント回路と；第１コネクタを用いてフレキシブルプリント回路に動作可能に結合される第１バッテリパックと；第２コネクタを用いてフレキシブルプリント回路に動作可能に結合される第２バッテリパックと；第３コネクタを用いてフレキシブルプリント回路に動作可能に結合されるメインロジックボードと；第１バッテリパックに配置され、第１バッテリパックからの電力の出力を選択的に有効（enable）又は無効（disable）にするよう構成される第１保護回路モジュールと；第２バッテリパックに配置され、第２バッテリパックからの電力の出力を選択的に有効又は無効にするよう構成される第２保護回路モジュールと；フレキシブルプリント回路及びメインロジックボードに沿って配置され、第１、第２及び第３コネクタの各々を通して第１及び第２保護回路モジュールを結合する１つ以上の検知信号経路を含む、検知回路と；を備え、第１バッテリパックは、検知回路を介して第１検知信号を提供し、第２バッテリパックは、検知回路を介して第２検知信号を提供するように構成され、第１保護回路モジュールは、検知回路を介して第２検知信号を検出すると、第１バッテリパックからの電力の出力を有効にし、検知回路を介して第２検知信号を検出しなかったとき、第１バッテリパックからの電力の出力を無効にし、第２保護回路モジュールは、検知回路を介して第１検知信号を検出すると、第２バッテリパックからの電力の出力を有効にし、検知回路を介して第１検知信号を検出しなかったとき、第２バッテリパックからの電力の出力を無効にする。
【００５３】
別の例において、メインロジックボードは、ウェアラブル電子デバイスがユーザによって装着されるときに、該ユーザの顔又は額に近接して配置されるよう構成される、ウェアラブル電子デバイスの前面部分に配置される。別の例において、フレキシブルプリント回路の少なくとも一部は、ウェアラブル電子デバイスの前面部分に配置される。別の例において、第１及び第２バッテリパックは、それぞれ、ウェアラブル電子デバイスの左側部分及び右側部分に配置され、左側部分は、ウェアラブル電子デバイスがユーザによって装着されるときに、ユーザの頭部の左側に近接するよう配置され、右側部分は、ウェアラブル電子デバイスがユーザによって装着されるときに、ユーザの頭部の右側に近接するよう配置される。別の例において、第１コネクタは、前面部分と左側部分との間のインタフェースに近接して配置され、第２コネクタは、前面部分と右側部分との間のインタフェースに近接して配置される。別の例において、ウェアラブル電子デバイスは、第１及び第２保護回路モジュールの各々において１つ以上の電界効果トランジスタ（ＦＥＴ）を更に含む。別の例において、１つ以上の検知信号経路は低電力経路である。別の例において、保護回路モジュールの各々は、コネクタの完全性の状態認識（state  awareness）を実装するように構成されるロジックを含む。別の例において、ウェアラブル電子デバイスは、フレキシブルプリント回路及びメインロジックボードにわたって分配される主電源バスを更に備え、第１及び第２バッテリパックからの電力が、それぞれの第１及び第２保護回路モジュールから主電源バスに出力される。別の例において、ウェアラブル電子デバイスは、ヘッドマウントディスプレイデバイス内に実装される。
【００５４】
更なる実施例は、電子デバイスで使用するために構成されるアセンブリを含む。当該アセンブリは、フレキシブルプリント回路又はプリント回路基板を備える中間回路サブアセンブリと；第１バッテリパックであって、１つ以上のバッテリセルの第１のセットと、該第１バッテリパックからの電力のオンとオフを切り替えるように構成される第１保護回路モジュールとを含む、第１バッテリパックと；第２バッテリパックであって、１つ以上のバッテリセルの第２のセットと、該第２バッテリパックからの電力のオンとオフを切り替えるように構成される第２保護回路モジュールとを含む、第２バッテリパックと；中間回路サブアセンブリ内に配置される電源バスと；第１バッテリパックを中間回路サブアセンブリに動作可能に結合するよう構成され、第１バッテリパックから電源バスへの少なくとも１つの電気的接続を提供する第１コネクタと；第２バッテリパックを中間回路サブアセンブリに動作可能に結合するよう構成され、第２バッテリパックから電源バスへの少なくとも１つの電気的接続を提供する第２コネクタと；を備え、第１及び第２保護回路モジュールは各々、電源バスへの電力の出力をオンに切り替える前に満たされるべき条件として、第１コネクタで第１バッテリパックと中間回路サブアセンブリとの間に電気的連続性が確立されること、及び第２コネクタで第２バッテリパックと中間回路サブアセンブリとの間に電気的連続性が確立されること、を検証するように構成される。
【００５５】
別の例において、アセンブリは、第２フレキシブルプリント回路又は第２プリント回路基板を備えるメインロジック回路サブアセンブリと；中間回路サブアセンブリをメインロジック回路サブアセンブリに動作可能に結合するよう構成され、中間回路サブアセンブリ上の電源バスの一部とメインロジック回路サブアセンブリ上に配置されたバスの一部との間の少なくとも１つの電気的接続を提供する第３コネクタと；を更に備え、電源バスへの電力の出力をオンに切り替える前に満たされるべき条件として、第３コネクタで中間回路サブアセンブリとメインロジック回路サブアセンブリとの間に電気的連続性が確立される。別の例において、第１及び第２バッテリパックの各々のバッテリセルの各々は、公称電圧を供給し、バッテリセルは、アセンブリがパワーオンされるときに電源バスが公称電圧で動作するように、並列構成で配置される。別の例において、第１及び第２保護回路モジュールの各々における検証は、第１、第２及び第３コネクタの各々を含む信号経路を有する検知回路を通して他のバッテリパックから検知信号を受け取ることによって実行され、検知信号は、サブアセンブリの各々が、それぞれの第１、第２及び第３コネクタで適切に組み立てられている場合に受け取られる。別の例において、検知信号は、第１及び第２バッテリパックが外部充電器に結合されるときに生成される。別の例において、アセンブリは、メインロジック回路サブアセンブリ上に配置されるコントローラを更に備え、コントローラは、検知回路の動作を制御するように構成される。別の例において、コントローラは、第１、第２及び第３コネクタの各々についてのコネクタ状態の認識を維持するように構成される。
【００５６】
更なる例は、電子デバイス内で使用可能なサブアセンブリを組み立てる方法を含む。本方法は、第１コネクタを使用して、第１バッテリパックを、第１フレキシブルプリント回路又は第１プリントボードのうちの１つ以上を備える中間回路サブアセンブリに電気的に接続するステップであって、第１バッテリパックは、第１保護回路モジュールと１つ以上のバッテリセルの第１のセットを含む、ステップと；第２コネクタを使用して、第２バッテリパックを中間回路サブアセンブリに電気的に接続するステップであって、第２バッテリパックは、第２保護回路モジュールと１つ以上のバッテリセルの第２のセットを含む、ステップと；第３コネクタを使用して、中間回路サブアセンブリをメインロジック回路サブアセンブリに電気的に接続するステップであって、メインロジック回路サブアセンブリは、第２フレキシブルプリント回路又は第２プリントボードのうちの１つ以上を備える、ステップと；メインロジック回路サブアセンブリのパワーオンを試みるステップと；パワーオンが不成功の場合、第１、第２及び第３コネクタのうちの１つ以上を切断して再接続し、パワーオンを再試行するステップとを備え、第１及び第２保護回路モジュールの各々は、第１、第２及び第３コネクタの各々における接続の完全性を検知し、第１、第２及び第３コネクタの各々における接続の完全性が第１及び第２保護回路モジュールの各々によって検証されたときにパワーオンを有効にするよう構成される。
【００５７】
別の例において、第１及び第２保護回路モジュールは、中間回路サブアセンブリ及びメインロジック回路サブアセンブリに沿って配置された検知回路を介してコネクタの完全性の状態を検知し、検知回路は、第１、第２及び第３コネクタの各々を通して第１及び第２保護回路モジュールを結合する１つ以上の検知信号経路を含む。別の例において、方法は、組み立てられたサブアセンブリ内の接続の完全性状態を示すコード又はメッセージを観察するステップを更に含む。
【００５８】
上記で説明された主題は、例示のためだけに提供されており、限定するものとして解釈されるべきではない。図示及び説明された例示的な実施形態及び用途に従うことなく、また、特許請求の範囲で説明される本発明の真の精神及び範囲から逸脱することなく、本明細書で説明された主題に対して様々な修正及び変更を行うことができるであろう。
【図１】
2019515622.tif 000003
【図２】
2019515622.tif 000004
【図３】
2019515622.tif 000005
【図４】
2019515622.tif 000006
【図５】
2019515622.tif 000007
【図６】
2019515622.tif 000008
【図７】
2019515622.tif 000009
【図８】
2019515622.tif 000010
【図９】
2019515622.tif 000011
【図１０】
2019515622.tif 000012
【図１１】
2019515622.tif 000013
【図１２】
2019515622.tif 000014
【図１３】
2019515622.tif 000015
【図１４】
2019515622.tif 000016
【図１５】
2019515622.tif 000017
【国際調査報告】
2019515622.tif 000018
2019515622.tif 000019